(57)【要約】【課題】飛散物の適切な吸引と、視認対象の拡大視認するための作業の効率化と、を両立する。【解決手段】歯科用口腔外吸引フード３は、筒状をなし、基端側Ｘ１が取り付けられ、先端側Ｘ２が吸引口となる筒状部３０と、筒状部３０の先端側周縁の一部３０ａよりもさらに先端側Ｘ２へ延びる透明な部分筒壁部３１と、を有する。部分筒壁部３１には、外周側Ｙ１から内周側Ｙ２を見た際に視認対象を拡大するレンズ部５が設けられている。【選択図】図１
2018186846.tif 000002
【特許請求の範囲】
【請求項１】
筒状をなし、基端側が取り付け端となり、先端側が吸引口となる筒状部と、
前記筒状部の先端側周縁の一部よりもさらに先端側へ延びる透明な部分筒壁部と、を有し、
前記部分筒壁部には、外周側から内周側を見た際に視認対象を拡大するレンズ部が設けられる、歯科用口腔外吸引フード。
【請求項２】
前記レンズ部は、内周側に露出しており、前記部分筒壁部に対して着脱自在に構成されている、請求項１に記載のフード。
【請求項３】
前記部分筒壁部のうち、少なくとも前記レンズ部の内周側には、保護フィルムが貼り付けられている、請求項１又は２に記載のフード。
【請求項４】
前記部分筒壁部には、全体として平板状部位が形成されており、前記平板状部位の少なくとも一部に前記レンズ部が設けられている、請求項１〜３のいずれかに記載のフード。
【請求項５】
床面に起立した又は天井から垂下させた固定ポールの先端に互いに回転自在に接続された複数のアームと、
前記アームの先端に取り付けられる請求項１〜４のいずれかに記載の吸引フードと、
前記吸引フード及び複数のアームを介して吸引するブロアと、を有する歯科用口腔外吸引装置。
【発明の詳細な説明】
【技術分野】
【０００１】
本発明は、歯科治療時に飛散物を吸引除去するための歯科用口腔外吸引装置、及びその先端に取り付けられる吸引フードに関する。
【背景技術】
【０００２】
歯科診療時には、患者の口から血液、唾液、切削粉塵等の飛散物が飛散する傾向にあり、口腔外における義歯の切削においても目に見えない粉塵が飛散する傾向にある。これらの飛散物を吸引除去するために、歯科用口腔外吸引装置が利用されている。例えば特許文献１には、床面に起立した又は天井から垂下させた固定ポールの先端に互いに回転自在に接続された複数のアームと、アームの先端に取り付けられた吸引フードと、吸引フード及び複数のアームを介して吸引するブロアと、を有するいわゆるビルドイン式の歯科用口腔外吸引装置が記載されている。
【０００３】
従来の吸引フードは、特許文献１及び図５に示すように、筒状をなし、基端側Ｘ１が取り付けられ、先端側Ｘ２が吸引口となる筒状部３０と、筒状部３０の先端側周縁の一部３０ａよりもさらに先端側へ延びる透明な部分筒壁部３１と、を有する透明樹脂製の吸引フード３が知られている。
【０００４】
歯科医師は、患者の口腔内の処置を行う際に、吸引フードを患者の胸の前方に配置し、吸引口を患者の口に向け、部分筒壁部位を患者の口の前方に対応する位置に配置することが多い。このように吸引フードを配置すれば、適切な吸引が可能となる。しかし、吸引フードの部分筒壁部位は透明ではあるものの、部分筒壁部位を通して視認することが想定されていないためか、視認性が良好とはいえない。実際には、吸引フードを患者から少し離し、患者と吸引フードの間の空間を介して患者の横から口腔内を視認することになる。このような使用方法になれば、口腔内からの飛散物を適切に吸引するとはいえない。
【０００５】
処置の際には、視認対象を見やすくするために拡大レンズ部を有するメガネを用いる場合があるが、このようなメガネ式の拡大鏡は大変視野が狭く、熟練が必要となる。例えば２．５倍では手の平の指半分までしか見えず、ピントが合わせづらい。歩行時や遠くを見るときには外す必要があるため、度重なる着脱動作が必要で煩わしい。また、頭部に装着しているために、適切な拡大率にするためには、頭部を動かさなければならず、器材を取るためなどに視線を変えれば、視線を戻すたびに拡大率を調節し直さなければならない。
【先行技術文献】
【特許文献】
【０００６】
【特許文献１】特開２０１２−７５７０３号公報
【発明の概要】
【発明が解決しようとする課題】
【０００７】
本発明は、このような課題に着目してなされたものであって、その目的は、飛散物の適切な吸引と、視認対象の拡大視認するための作業の効率化と、を両立することである。
【課題を解決するための手段】
【０００８】
本発明は、上記目的を達成するために、次のような手段を講じている。
【０００９】
すなわち、本発明の歯科用口腔外吸引フードは、筒状をなし、基端側が取り付け端となり、先端側が吸引口となる筒状部と、前記筒状部の先端側周縁の一部よりもさらに先端側へ延びる透明な部分筒壁部と、を有し、前記部分筒壁部には、外周側から内周側を見た際に視認対象を拡大するレンズ部が設けられる。
【００１０】
この構成によれば、吸引フードのうち、対面が存在しない部分筒壁部にレンズ部が設けられているので、拡大メガネを着用しなくても、吸引フード（レンズ部）を介した視認が可能となる。
さらに、レンズ部を介して視認しやすい位置に吸引フードを配置すれば、自然と吸引口も視認対象の近くに配置されるので、拡大視認に必要な作業と、吸引口の位置極めとを同時に行うことができ、効率的である。
さらにまた、吸引フードを一度位置決めすれば、その位置が保持されるので、視線を動かしても、再度ピントを調節する必要もない。
【図面の簡単な説明】
【００１１】
【図１】本発明の歯科用口腔外吸引装置及び吸引フードを示す斜視図。
【図２】吸引フードを示す斜視図。
【図３】吸引フードの変形例を示す斜視図。
【図４】レンズ部周辺構造を示す模式的断面図。
【図５】従来の吸引フードを示す斜視図。
【発明を実施するための形態】
【００１２】
本発明の一実施形態について図面を用いて説明する。
【００１３】
図１及び図２に示すように、歯科用口腔外吸引装置は、床面に起立した又は天井から垂下させた固定ポール（非図示）と、固定ポールの先端に互いに回転自在に接続された複数のアーム２と、アーム２の先端に取り付けられた吸引フード３と、吸引フード３及び複数のアーム２を介して吸引するブロア４と、を有する。図１に示す装置は、いわゆるビルドインタイプであるが、これに限定されない。吸引フード３は、アーム２の先端に着脱可能に構成されている。複数のアーム２のうち先端に近い部分のアームには、吸引フード３の向き及び位置を変更する際に使用する把手２１が設けられており、歯科医師は把手２１を把持して、吸引フード３の向き及び位置を変更する。
【００１４】
吸引フード３は、筒状をなし、基端側Ｘ１が取り付け端となりアーム２に取り付けられ、先端側Ｘ２が吸引口となる筒状部３０と、筒状部３０の先端側周縁の一部３０ａよりもさらに先端側Ｘ２へ延びる透明な部分筒壁部３１と、を有する。吸引フード３は、樹脂製であるが、これに限定されず、ガラス等の種々の材料を使用できるが、重量の観点から樹脂製が好ましい。
【００１５】
部分筒壁部３１には、外周側Ｙ１から内周側Ｙ２を見た際に視認対象を拡大するレンズ部５が設けられている。レンズ部５は、凸レンズ、フレネルレンズが採用可能である。
【００１６】
筒状部３０の基端部には、網部３０ｂが設けられ、不意に大きなものを誤吸引することを防止するように構成されている。図１及び図２に示す例では、筒状部３０は、基端から先端に向かうにつれて径が大きくなるラッパ形状に形成されているが、筒状であればこの形状に限定されない。例えば、楕円筒、四角筒など種々変更可能である。また、部分筒壁部３１は、断面が部分円弧であるが、これに限定されない。図３に示すように、平板状部位３１ａを有してもよい。図３の例では、平板状部位３１ａの少なくとも一部にレンズ部５が設けられている。すなわち、平板状部位３１ａの全てをレンズ部５としてもよいし、平板状部位３１ａの一部のみをレンズ部５としてもよい。
【００１７】
部分筒壁部３１にレンズ部５を設ける方法としては、図４に示す２つの方法が挙げられる。なお、図４ではレンズ部５の詳細構造を図示していない。図４（ａ）に示す構造は、部分筒壁部３１を構成する部材の外周側Ｙ１にレンズ部５を配置して、レンズ部５を保護する構造である。図４（ｂ）に示す構造は、レンズ部５を内周側Ｙ２に露出させた構造である。
【００１８】
吸引フード３を介した吸引の対象となる飛散物には、金属塵などが含まれ、これらの高硬度の物質が吸引フード３に衝突することにより、吸引フード３に傷がつき、レンズ部５を介した視認性が悪化する傾向にあると考えられる。この問題を解決するためには、図４（ｂ）に示す構造の場合は、レンズ部５に傷が付くため、レンズ部５を部分筒壁部３１に着脱自在に構成して、交換可能にすることが好ましい。若しくは、図４（ｂ）に示す構造の場合には、レンズ部５の内周側Ｙ２に、透明な保護フィルムを貼り付け、保護フィルムを交換可能にすることが好ましい。
【００１９】
図４（ａ）の構造の場合には、少なくともレンズ部５の内周側Ｙ２にある部分筒壁部３１には、透明な保護フィルムを貼り付け、保護フィルムを交換可能にすることが好ましい。
【００２０】
以上のように、本実施形態の歯科用口腔外吸引フード３は、筒状をなし、基端側Ｘ１が取り付けられ、先端側Ｘ２が吸引口となる筒状部３０と、筒状部３０の先端側周縁の一部３０ａよりもさらに先端側Ｘ２へ延びる透明な部分筒壁部３１と、を有する。部分筒壁部３１には、外周側Ｙ１から内周側Ｙ２を見た際に視認対象を拡大するレンズ部５が設けられている。
【００２１】
この構成によれば、吸引フード３のうち、対面が存在しない部分筒壁部３１にレンズ部５が設けられているので、拡大メガネを着用しなくても、吸引フード３（レンズ部５）を介した視認が可能となる。
さらに、レンズ部５を介して視認しやすい位置に吸引フード３を配置すれば、自然と吸引口も視認対象の近くに配置されるので、拡大視認に必要な作業と、吸引口の位置極めとを同時に行うことができ、効率的である。
さらにまた、吸引フード３を一度位置決めすれば、その位置が保持されるので、視線を動かしても、再度ピントを調節する必要もない。
【００２２】
本実施形態では、レンズ部５は、内周側Ｙ２に露出しており、部分筒壁部３１に対して着脱自在に構成されている。
【００２３】
この構成によれば、レンズ部５が内周側Ｙ２に露出しているので、飛散物により傷がつき、そのうち視認性が悪くなるが、視認性が悪くなっても、部分筒壁部３１に対してレンズ部５を着脱自在に構成しているので、取替え可能となり、良好な視認性を確保可能となる。
【００２４】
本実施形態では、部分筒壁部３１のうち、少なくともレンズ部５の内周側には、保護フィルムが貼り付けられている。
【００２５】
この構成によれば、保護フィルムが代わりに傷つくことになるので、保護フィルムを交換すればよく、良好な視認性を確保可能となる。
【００２６】
本実施形態では、部分筒壁部３１には、全体として平板状部位３１ａが形成されており、平板状部位３１ａの少なくとも一部にレンズ部５が設けられている。
【００２７】
この構成によれば、平板状部位３１ａを介して視認する場合には、湾曲部位を介して視認する場合に比べて、視界が湾曲しにくくなり、視認性を高めることが可能となる。平板状部位３１ａの一部にレンズ部５が設けられる場合には、レンズ部５が設けられていない平板状部位３１ａを介して視認する際にも、視認性が向上する。
【００２８】
本実施形態の歯科用口腔外吸引装置は、床面に起立した又は天井から垂下させた固定ポールの先端に互いに回転自在に接続された複数のアーム２と、アーム２の先端に取り付けられる上記の吸引フード３と、吸引フード３及び複数のアーム２を介して吸引するブロア４と、を有する。
【００２９】
本実施形態の吸引フード３の好ましい適用例である。
【００３０】
本発明は上述した実施形態に何ら限定されるものではなく、本発明の趣旨を逸脱しない範囲内で種々の改良変更が可能である。
【符号の説明】
【００３１】
２…アーム
３…吸引フード
３０…筒状部
３１…部分筒壁部
３１ａ…平板状部位
４…ブロア
５…レンズ部
Ｘ１…基端側
Ｘ２…先端側
Ｙ１…外周側
Ｙ２…内周側
【図１】
2018186846.tif 000003
【図２】
2018186846.tif 000004
【図３】
2018186846.tif 000005
【図４】
2018186846.tif 000006
【図５】
2018186846.tif 000007
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
筒状をなし、基端側が取り付け端となり、先端側が吸引口となる筒状部と、
前記筒状部の先端側周縁の一部よりもさらに先端側へ延びる透明な部分筒壁部と、を有し、
前記部分筒壁部には、外周側から内周側を見た際に視認対象を拡大するレンズ部が設けられ、
前記レンズ部は、内周側に露出しており、前記部分筒壁部に対して着脱自在に構成されている、歯科用口腔外吸引フード。
【請求項２】
筒状をなし、基端側が取り付け端となり、先端側が吸引口となる筒状部と、
前記筒状部の先端側周縁の一部よりもさらに先端側へ延びる透明な部分筒壁部と、を有し、
前記部分筒壁部には、外周側から内周側を見た際に視認対象を拡大するレンズ部が設けられ、
前記部分筒壁部のうち、少なくとも前記レンズ部の内周側には、保護フィルムが貼り付けられている、歯科用口腔外吸引フード。
【請求項３】
前記部分筒壁部には、全体として平板状部位が形成されており、前記平板状部位の少なくとも一部に前記レンズ部が設けられている、請求項１又は２に記載のフード。
【請求項４】
床面に起立した又は天井から垂下させた固定ポールの先端に互いに回転自在に接続された複数のアームと、
前記アームの先端に取り付けられる請求項１〜３のいずれかに記載の吸引フードと、
前記吸引フード及び複数のアームを介して吸引するブロアと、を有する歯科用口腔外吸引装置。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
筒状をなし、基端側が取り付け端となり、先端側が吸引口となる筒状部と、
前記筒状部の先端側周縁の一部よりもさらに先端側へ延びる透明な部分筒壁部と、を有し、
前記部分筒壁部には、外周側から内周側を見た際に視認対象を拡大するレンズ部が設けられ、
前記レンズ部は、内周側に露出しており、前記部分筒壁部に対して着脱自在に構成されている、歯科用口腔外吸引フード。
【請求項２】
筒状をなし、基端側が取り付け端となり、先端側が吸引口となる筒状部と、
前記筒状部の先端側周縁の一部よりもさらに先端側へ延びる透明な部分筒壁部と、を有し、
前記部分筒壁部には、外周側から内周側を見た際に視認対象を拡大するレンズ部が設けられ、
前記部分筒壁部のうち、少なくとも前記レンズ部の内周側には、吸引の対象となる飛散物による傷を防ぐための交換可能で透明な保護フィルムが貼り付けられている、歯科用口腔外吸引フード。
【請求項３】
前記部分筒壁部には、全体として平板状部位が形成されており、前記平板状部位の少なくとも一部に前記レンズ部が設けられている、請求項１又は２に記載のフード。
【請求項４】
床面に起立した又は天井から垂下させた固定ポールの先端に互いに回転自在に接続された複数のアームと、
前記アームの先端に取り付けられる請求項１〜３のいずれかに記載の吸引フードと、
前記吸引フード及び複数のアームを介して吸引するブロアと、を有する歯科用口腔外吸引装置。